(57)【要約】【課題】保湿容器の構造を簡素化し、かつ密閉性を高める。【解決手段】湿潤シート１２を収納する容器本体１と、この容器本体にその開口部９を覆うように取り付けられ、伸び方向に常時付勢され、先端が閉じられたジャバラ部材７と、このジャバラ部材のくびれ部７ａに設けられた湿潤シートの取出口２と、容器本体に接合されたジャバラ部材を圧潰状態で覆う開閉蓋３と、開閉蓋を閉状態に保持するロック手段８とを包含してなる。開閉蓋のヒンジにスプリング等のバネ部材を設けることなく開閉蓋を開けることができ、容器の構造を簡素化することができる。開閉蓋とジャバラ部材のくびれ部の双方により取出口を閉じ、容器本体の密封性を一層高め、アルコール等の薬液、水等の蒸散を適正に防止することができる。【選択図】図５
2008100752.tif 000002
【特許請求の範囲】
【請求項１】
湿潤シートを収納する容器本体と、この容器本体又は容器本体の着脱部材に容器本体又は着脱部材の開口部を覆うように取り付けられ、伸び方向に常時付勢され、先端が閉じられたジャバラ部材と、このジャバラ部材のくびれ部に設けられた湿潤シートの取出口と、上記容器本体又は上記着脱部材に接合された上記ジャバラ部材を圧潰状態で覆う開閉蓋と、開閉蓋を閉状態に保持するロック手段とを包含してなることを特徴とする保湿容器。
【請求項２】
請求項１に記載の保湿容器において、上記圧潰状態のジャバラ部材を取り囲みうるパッキング部材と、このパッキング部材に当接する当接部とが、上記開閉蓋と上記容器本体又は上記着脱部材とに設けられたことを特徴とする保湿容器。
【請求項３】
請求項２に記載の保湿容器において、上記ジャバラ部材を圧潰状態に押圧するパッキング部材が上記開閉蓋に取り付けられ、上記圧潰状態のジャバラ部材から食み出たパッキング部材に当接する当接部が上記容器本体又は上記着脱部材に設けられたことを特徴とする保湿容器。
【請求項４】
請求項１乃至請求項３のいずれかに記載の保湿容器において、上記着脱部材が、上記容器本体に形成された湿潤シートの重畳体又はロールの挿入口を開閉する蓋体であることを特徴とする保湿容器。
【発明の詳細な説明】
【技術分野】
【０００１】
本発明は、ウェットティッシュ等の湿潤シートを収納する保湿容器に関する。
【背景技術】
【０００２】
ウェットティッシュ等の湿潤シートを収納する保湿容器は、湿潤シートを収納する容器本体と、この容器本体に形成された湿潤シートの取出口と、この取出口を開閉する容器本体にヒンジ結合された開閉蓋とを具備する。湿潤シートは、その多数のものがＺ字状に折られ、隣り合うもの同士で折れ部が互いに他方の間に入り込むように積み重ねられた状態で容器本体内に収納され、あるいは連続状の湿潤シートが一定間隔で入れられた切取線上でジグザグ折りされた状態で容器本体内に収納され、あるいは切取線が所定間隔で設けられた連続シートがロール状に巻き取られた状態で容器本体内に収納される。最上位の湿潤シート又は始端側の湿潤シートを取出口から引き出すと、これに連なるように後続の湿潤シートの先端部分が取出口から引き出され、取出口の端に引っ掛かって停止する。以後同様にして湿潤シートが一枚ずつ取出口から取り出される（例えば、特許文献１，２参照。）。
【０００３】
【特許文献１】特開平１１−４９２０６号公報
【特許文献２】特開２０００−１４２８４２号公報
【発明の開示】
【発明が解決しようとする課題】
【０００４】
ウェットティッシュ等の湿潤シートを取出口から取り出すに際して、開閉蓋はそのロックを解除すると自動的に開くようするのが望ましい。そのためには開閉蓋のヒンジにスプリング等のバネ部材を設ける必要があるが（例えば、特許文献１，２参照。）、このバネ部材を省略して部品点数を低減し、構造を簡略化したいとの要請がある。
【０００５】
また、開閉蓋を閉じた状態で容器本体の密閉性をより一層高めたいとの要望もある。
【０００６】
本発明はこのような問題を解消することができる保湿容器を提供することを目的とする。
【課題を解決するための手段】
【０００７】
上記課題を解決するため、本発明は次のような構成を採用する。
【０００８】
すなわち、請求項１に係る発明は、湿潤シート（１２）を収納する容器本体（１）と、この容器本体（１）又は容器本体（１）の着脱部材（１６ａ）に容器本体（１）又は着脱部材（１６ａ）の開口部（９）を覆うように取り付けられ、伸び方向に常時付勢され、先端が閉じられたジャバラ部材（７）と、このジャバラ部材（７）のくびれ部（７ａ）に設けられた湿潤シート（１２）の取出口（２）と、上記容器本体（１）又は上記着脱部材（１６ａ）に接合された上記ジャバラ部材（７）を圧潰状態で覆う開閉蓋（３）と、開閉蓋（３）を閉状態に保持するロック手段（８）とを包含してなることを特徴とする。
【０００９】
上記保湿容器において、圧潰状態のジャバラ部材（７）を取り囲みうるパッキング部材（１１）と、このパッキング部材（１１）に当接する当接部（１３）とを、開閉蓋（３）と容器本体（１）又は着脱部材（１６ａ）とに設けてもよい。
【００１０】
また、上記保湿容器において、ジャバラ部材（７）を圧潰状態に押圧するパッキング部材（１１）を開閉蓋（３）に取り付け、圧潰状態のジャバラ部材（７）から食み出たパッキング部材（１１）に当接する当接部（１３）を容器本体（１）又は着脱部材（１６ａ）に設けてもよい。
【００１１】
また、上記保湿容器において、着脱部材（１６ａ）を容器本体（１）に形成された湿潤シート（１２）の重畳体又はロールの挿入口を開閉する蓋体としてもよい。
【発明の効果】
【００１２】
本発明によれば、湿潤シート（１２）を収納する容器本体（１）と、この容器本体（１）又は容器本体（１）の着脱部材（１６ａ）に容器本体（１）又は着脱部材（１６ａ）の開口部（９）を覆うように取り付けられ、伸び方向に常時付勢され、先端が閉じられたジャバラ部材（７）と、このジャバラ部材（７）のくびれ部（７ａ）に設けられた湿潤シート（１２）の取出口（２）と、上記容器本体（１）又は上記着脱部材（１６ａ）に接合された上記ジャバラ部材（７）を圧潰状態で覆う開閉蓋（３）と、開閉蓋（３）を閉状態に保持するロック手段（８）とを包含してなることから、開閉蓋（３）のヒンジにスプリング等のバネ部材を設けることなく開閉蓋（３）を開けることができ、容器の構造を簡素化することができる。また、取出口（２）も自動的に開けることができるので、湿潤シート（１２）の取り出しを円滑に行うことができる。さらに、開閉蓋（３）とジャバラ部材（７）のくびれ部（７ａ）の双方により取出口（２）も閉じることができるので、容器本体（１）の密封性をより一層高め、アルコール等の薬液、水等の蒸散を適正に防止することができる。
【発明を実施するための最良の形態】
【００１３】
次に、本発明の実施の形態について図面を参照して説明する。
【００１４】
＜実施の形態１＞
図１乃至図３に示すように、この保湿容器は、湿潤シートを収納する容器本体１と、この容器本体１に取り付けられ、伸び方向に常時付勢され、先端が閉じられたジャバラ部材７と、このジャバラ部材７のくびれ部７ａに設けられた湿潤シート１２（図４、図５参照）の取出口２と、上記容器本体１にヒンジ結合されたジャバラ部材７を圧潰状態で覆う開閉蓋３と、開閉蓋３を閉状態に保持するロック手段とを含んだ構成とされる。
【００１５】
容器本体１は、たとえば合成樹脂により略直方体の殻体として形成される。容器本体１の底壁１ａは容器本体１の周壁に対し凹凸縁１ｂを介して着脱自在に嵌合する。凹凸縁１ｂの嵌合により、容器本体１内が密封状態に保たれる。凹凸縁１ｂの嵌合を解除してこの底壁１ａを外すことにより、容器本体１内に湿潤シート１２を収納することができる。
【００１６】
湿潤シート１２は、従来と同様にその多数のものがＺ字状に折られ、隣り合うもの同士で折れ部が互いに他方の間に入り込むように積み重ねられる。あるいは、長尺の湿潤シートがミシン線でジグザグ折りされ積み重ねられる。この湿潤シートの積み重なったものの全体には、アルコール等の薬液、水等が含浸している。この湿潤シートの積み重なったものは当初袋４内に詰められた状態で保湿容器の容器本体１内に収納される。湿潤シートを保湿容器から一枚ずつ取り出す際に袋４が容器本体１から取り出され、開封された後に中味の湿潤シートのみ又は開封された袋４とともに容器本体１内に戻される。
【００１７】
上記容器本体の天壁１ｃには、ジャバラ部材７の横断面積に略等しい大きさ、形状の開口部９が形成される。開口部９は、この実施の形態１では円形に形成されるが、その他ジャバラ部材７の横断面積に合わせて楕円形、長方形等の所望の形状に形成することが可能である。
【００１８】
開閉蓋３は、容器本体１の天壁１ｃを上記開口部９の上から覆うように設けられる。天壁１ｃの開口部９の周辺は凹部として形成され、この凹部内に開閉蓋３が閉状態となって入り込むと、開閉蓋３の表面と容器本体１の表面とが同一面化する。開閉蓋３は概ね長方形に形成され、その後部が天壁１ｃの後部すなわち容器本体１の後部にヒンジピン５を介して連結される。開閉蓋３はこのヒンジピン５を支点にして上下方向に回動可能である。
【００１９】
一方、開閉蓋３の前端部に対応して天壁１ｃの前端部にはロック手段としてロック片８が設けられる。図４及び図５に示すように、ロック片８は、天壁１ｃに対し枢ピン８ａを介して上下に回動自在に支持される。ロック片８の枢ピン８ａより開閉蓋３側に寄った箇所には、開閉蓋３の前端に設けられた突起３ａが引っ掛かるロック部８ｂが設けられ、枢ピン８ａよりも容器本体１の前側には、開閉蓋３の開閉操作をする際に指で押さえる指掛け部８ｃと、指掛け部８ｃの押圧により変形するバネ片８ｄとが設けられる。開閉蓋３が閉まった状態では、開閉蓋３の突起３ａがロック片８のロック部８ｂに引っ掛かって、ロック片８が枢ピン８ａの回りを反時計方向に付勢されている。指掛け部８ｃをバネ片８ｄが変形するように押圧すると、ロック片８が枢ピン８ａの回りを反時計方向に回動し、ロック部８ｂが突起３ａから離反し、これにより、開閉蓋３はロック片８から解放され、ヒンジピン５の回りを上方向に回動可能となる。
【００２０】
図４及び図５に示すように、ジャバラ部材７は、軟質材により薄肉の筒体として形成され、その先端は端板７ｂにより閉じられ、基端にはフランジ部７ｃが形成される。ジャバラ部材７は、所望の固定手段により上記天壁１ｃの開口部９に固定される。具体的には、ジャバラ部材７のフランジ部７ｃが上記天壁１ｃの開口部９の回りに当てられ、その上からリング１０が当てられたうえで、止め具６がこれらに通されることにより開口部９に連結される。
【００２１】
ジャバラ部材７の筒体の中間には環状のくびれ部７ａが設けられる。くびれ部７ａはこの実施の形態１では一つのみ設けられているが、複数個設けることもできる。ジャバラ部材７にくびれ部７ａが設けられることによりジャバラ部材７は伸縮可能となるが、このジャバラ部材７には常時伸び方向に付勢力が与えられる。この付勢力は例えばジャバラ部材７を伸び切った状態でブロー成形等により成形することにより与えることができる。このようにジャバラ部材７に常時伸び方向に付勢力が与えられていることから、ロック手段のロックを解いて開閉蓋３を解放すると、図５に示すように、ジャバラ部材７が自力で伸長して開閉蓋３を開き、また取出口２を開放する。
【００２２】
ジャバラ部材７のくびれ部７ａには、湿潤シート１２の取出口２が設けられる。くびれ部７ａはジャバラ部材７と同心円となるように形成してもよいが、望ましくはくびれ部７ａの中心がジャバラ部材７の中心から容器後方すなわちヒンジピン５側に偏るように形成される。これにより、図５に示すように、容器前側のくびれ部７ａの面積が拡大し、この拡大したくびれ部７ａに取出口２が設けられる。
【００２３】
取出口２は湿潤シート１２を引き出すことができ、くびれ部７ａにより塞ぎうる形状、大きさに形成される。取出口２は、望ましくは円形、楕円形等に形成される。図５に示すように、取出口２は湿潤シート１２の通り抜けを許容し、湿潤シート１２が通過する際、この湿潤シート１２から余剰のアルコール等の含浸液を扱き落とす。先行する湿潤シート１２が取出口２から取り出されると、後続する湿潤シート１２の先端部１２ａが取出口２のやや先の待機位置まで引き出されて取出口２に引っ掛かった状態で停止し、容器本体１内に落下しないように保持される。この取出口２は、図４に示すように、ジャバラ部材７が圧潰状態になりくびれ部７ａが閉じることにより密封される。取出口２は後続する湿潤シート１２の先端部１２ａを挟んだまま閉じ、湿潤シート１２の含浸液の揮散を防止する。
【００２４】
ジャバラ部材７を形成するための軟質材としては、シリコンゴム、エラストマー等を用いることができる。望ましくはガスバリア性、水蒸気バリア性のある材料が使用される。
【００２５】
図１乃至図５に示すように、上記圧潰状態のジャバラ部材７を取り囲みうるパッキング部材１１が開閉蓋３の内面に固定され、このパッキング１１部材に当接する当接部１３が容器本体１の天壁１ｃに設けられる。もちろん、パッキング部材１１を天壁１ｃに設け、当接部１３を開閉蓋３に設けてもよい。パッキング部材１１及び当接部１３は必要に応じて設けられるもので、開閉蓋３の内面で直にジャバラ部材７を押圧することも可能である。
【００２６】
パッキング部材１１は上記ジャバラ部材７を形成する軟質材と同様な材料で形成される。パッキング部材１１はジャバラ部材７の端板７ｂよりやや大きい面積の円板形に形成される。当接部１３はジャバラ部材７のフランジ部７ｃを取り囲むように環状突起として形成される。この環状突起は圧潰状態のジャバラ部材７の高さよりもやや高く形成される。これにより、図４に示すように、開閉蓋３が閉じられ、パッキング部材１１がジャバラ部材７を圧潰状態に押圧すると、ジャバラ部材７の回りで半径方向外側に食み出たパッキング部材１１が当接部１３に当接し、容器本体１内を密封する。このとき取出口２はジャバラ部材７のくびれ部７ａの密着により閉じられているので、容器本体１内の密封性はさらに向上する。
【００２７】
次に、上記構成の保湿容器の作用について説明する。
【００２８】
湿潤シート１２は当初多数枚積み重ねられた状態で袋４内に詰められ、保湿容器の容器本体１内に収納された状態で販売される。
【００２９】
使用者は、購入当初容器本体１の底壁１ａを外して袋を取り出し、袋４を開いて湿潤シート１２の重畳体又はロールを取り出す。そして、開閉蓋３を開いてジャバラ部材７の取出口２から最初の湿潤シート１２の先端部１２ａを摘んで引き出す。
【００３０】
その後、重畳体又はロールを容器本体１内に収納し、図４のごとく再び底壁１ａで容器本体１を閉じ、開閉蓋３を閉じる。
【００３１】
湿潤シート１２を使用する場合、ロック片８に指を掛けて開閉蓋３のロックを解除する。図５に示すごとく、開閉蓋３はジャバラ部材７がその付勢力により自動的に上方に伸長することにより上方に押し上げられ、また、ジャバラ部材７の伸長によりくびれ部７ａが拡開して取出口２を開放する。
【００３２】
使用者は、取出口２から覗く湿潤シート１２の先端部１２ａを指で摘んで取出口２から容器本体１外に引き出す。
【００３３】
湿潤シート１２は取出口２から引き出されつつ、取出口２の縁に扱かれる。これにより、アルコール等の余剰の含浸液が容器本体１内に戻される。また、ジャバラ部材７は弾性を有する軟質材で形成されているので、湿潤シート１２の取り出しの際、取出口２は容易に拡開する。この取出口２の拡開に伴うジャバラ部材７の弾性変形により生じる力は湿潤シート１２を引っ張る力に比べて極めて小さいので、湿潤シート１２を引く力によって容器本体１が持ち上げられるようなことはなく、湿潤シート１２は円滑に取出口２外に引き出される。
【００３４】
この先行する湿潤シート１２が引き出されると、後続する湿潤シート１２の先端部１２ａが取出口２を少しばかり過ぎた待機位置まで引き出されて停止する。これにより、湿潤シート１２の先端部１２ａは取出口２の縁に保持され、容器本体１内への落下が防止される。
【００３５】
湿潤シート１２がそれ以上必要でない場合は、使用者により開閉蓋３が閉じられる。この開閉蓋３に加わる閉じ力によりジャバラ部材７は圧潰され、そのくびれ部７ａの取出口２が閉じられる。開閉蓋３が閉じられると、開閉蓋３の突起３ａが容器本体１のロック部８ｂに引っ掛かり、これにより開閉蓋３が閉状態に保持される。
【００３６】
また、開閉蓋３が閉じると、図４に示すように、パッキング部材１１が天壁１ｃ上の当接部１３に圧接し、取出口２の周囲がさらに密封され、湿潤シート１２の含浸液の揮散が防止される。
【００３７】
＜実施の形態２＞
図６に示すように、この実施の形態２では、実施の形態１の場合と異なり、容器本体１６が筒状に形成され、この筒状の容器本体１６に着脱部材１６ａが取り付けられる。この容器本体１６内には枚葉状の湿潤シート１２（図４、図５参照）を積み重ねた重畳体又はミシン目が等間隔で入れられた長尺の湿潤シートを巻き取ったロールが収納される。
【００３８】
着脱部材１６ａは、具体的には容器本体１６に形成された湿潤シート１２の重畳体又はロールの挿入口を開閉するための蓋体である。この場合、この蓋体は容器本体１６にネジ、凹凸嵌合等の適宜手段により取り付けられている。
【００３９】
なお、この実施の形態２において実施の形態１のものと同じ部分には同一符号を付して示すこととし、重複した説明を省略する。
【００４０】
本発明は以上説明したように構成されるが、上記実施の形態１，２に限定されるものではない。
【図面の簡単な説明】
【００４１】
【図１】本発明の実施の形態１に係る保湿容器の平面である。
【図２】図１中、ＩＩ−ＩＩ線矢視断面図である。
【図３】図１中、ＩＩＩ−ＩＩＩ線矢視断面図である。
【図４】図３中、要部の拡大図である。
【図５】図４中、開閉蓋を開いた状態で示す拡大図である。
【図６】本発明の実施の形態２に係る保湿容器を開閉蓋の閉じた状態で示す斜視図である。
【符号の説明】
【００４２】
１…容器本体
２…取出口
３…開閉蓋
７…ジャバラ部材
７ａ…くびれ部
８…ロック片
９…開口部
１１…パッキング部材
１２…湿潤シート
１３…当接部
１６ａ…着脱部材
【図１】
2008100752.tif 000003
【図２】
2008100752.tif 000004
【図３】
2008100752.tif 000005
【図４】
2008100752.tif 000006
【図５】
2008100752.tif 000007
【図６】
2008100752.tif 000008